(57)【要約】      （修正有）【課題】安全で手軽なコミュニケーションを可能とするビデオメッセージによるローカルコミュニティ用メディア装置を提供する。【解決手段】サーバ装置は利用者側端末から送付された認証情報を利用者認証部で参照し、サーバ装置で管理されている利用者の一人であることを認証すると、依頼受付・データ取得部によりビデオメッセージ配信依頼を受け取り、記憶装置からビデオメッセージを取得し、データ送信部によりビデオメセッージデータが利用者側端末装置に転送される。利用者は受信したビデオメッセージデータを個別メッセージか放送目的のメッセージかを選択すると十分なバッファリングを行ったあとで、ビデオメッセージデータ一式取得部により、未再生のビデオメッセージを取得しビデオメッセージ再生部により表示装置で連続に再生する。【選択図】図１
2017034445.tif 000002
【特許請求の範囲】
【請求項１】
利用者側端末装置は，ビデオ撮影装置，ビデオメッセージデータ生成部，ビデオメッセージ記録部， 記憶装置，ビデオメッセージ送信手続き部，表示装置，利用者情報管理部， ビデオメッセージ返信部，ビデオメッセージ配信依頼部，アラート受信部， ビデオメッセージ受信部，ビデオメッセージ記録部，ビデオメッセージデータ一式取得部， ビデオメッセージ再生部，ビデオメッセージ情報管理部，フィードバック送信部， ビデオメッセージ記録管理部，着ぐるみ（擬人的媒体），によって構成し，サーバ装置は，記憶装置，利用者認証部，機械学習処理部，データ記録部，利用者情報入出力部， 依頼受付・データ取得部，データ送信部，データ同期部， によって構成し，利用者は，自分自身のプロファイル情報や，利用者端末装置から取得した位置情報，受信メッセージのフィルタ情報などを利用者情報管理部により設定し，記憶装置に保存し，記憶装置に保存された利用者情報は，認証情報とともにインターネットを介してサーバ装置に送信し，サーバ装置では，利用者側端末から送付された認証情報を利用者認証部で参照し，サーバ装置で管理されている利用者の一人であることを認証すると，利用者情報入出力部により記憶装置に保存し，利用者が，利用者側端末装置を使ってビデオメッセージを撮影する際，ビデオ撮影装置を起動し，ビデオ撮影装置から取得したビデオ映像情報を表示装置に提示しながら，ビデオメッセージデータ生成部 により圧縮処理し，ビデオメッセージ記録部でビデオメッセージが記憶装置に録画され，その後，ビデオメッセージ送信手続き部により，個別メッセージか同報メッセージかを選択し，アドレス帳から送信先の設定を行うことで，記憶装置からビデオメッセージを取得し，インターネットを介してサーバ装置に送信し，サーバ装置は，認証情報とビデオメッセージデータを受け取った際，利用者側端末から送付された認証情報を利用者認証部で参照し，サーバ装置で管理されている利用者の一人であることを認証すると，ビデオメッセージをデータ受信・記録部により取得し，記憶装置に保存し，サーバ装置は，記憶装置に利用者宛の新着のメッセージが記録されていることを確認すると，依頼受付・データ取得部によりデータを取得し，データ送信部から，インターネットを介して利用者側端末装置のアラート受信部にメッセージ受信状況の情報を伝達する．利用者は，ビデオメッセージ配信依頼部により，ビデオメッセージの配信をサーバ装置に依頼すると，依頼情報は認証情報と共にインターネットを介してサーバ装置に配信される．サーバ装置では，利用者側端末から送付された認証情報を利用者認証部で参照し，サーバ装置で管理されている利用者の一人であることを認証すると，依頼受付・データ取得部によりビデオメッセージ配信依頼を受け取り，記憶装置からビデオメッセージデータを取得し，データ送信部により，ビデオメッセージデータが利用者側端末装置に転送し，ビデオメッセージデータの着信を検知すると，ビデオメッセージ受信部がデータ一式を受け取り，ビデオメッセージ記録部により，着信したビデオメッセージを記録媒体に自動的に保存し続ける．加えて，利用者は，受信したビデオメッセージの再生を行う場合，個別メッセージか放送目���のメッセージかを選択すると，十分なバッファリングを行ったあとで，ビデオメッセージデータ一式取得部により，未再生のビデオメッセージデータを取得し，ビデオメッセージ再生部によりビデオメッセージを表示装置で連続的に再生する．加えて，利用者は，利用者側端末装置を使ってビデオメッセージ再生部によりビデオメッセージを再生している際，受信メッセージ情報提示部により，ビデオメッセージの作成者情報などの詳細な情報を表示装置により閲覧できる．加えて，利用者は，利用者側端末装置を使ってビデオメッセージ再生部によりビデオメッセージの再生を終了した際，必要に応じて，フィードバック送信部を起動し，フィードバック送信部により，ビデオメッセージに関する評価をインターネットを介してサーバ装置に送信する．加えて，利用者は，ビデオメッセージ記録管理部により，送受信したビデオメッセージのデータを表示装置から一覧で確認し，必要に応じて，削除や再生を行い，その操作ログはインターネットを介してサーバ装置に転送され，データ同期部により記憶装置内の利用者データと同期を取る．加えて，利用者は，利用者情報管理部により，必要に応じて連絡先一覧を追加・編集・削除を行い，その操作ログはインターネットを介してサーバ装置に転送され，データ同期部により記憶装置内の利用者データと同期を取る．サーバ装置は，認証情報とフィードバック結果を受け取った際，利用者側端末から送付された認証情報を利用者認証部で参照し，サーバ装置で管理されている利用者の一人であることを認証すると，フィードバック結果をデータ受信・記録部により取得し，記憶装置に保存する．サーバ装置では，放送目的で転送されたビデオメッセージを記憶装置に保存したタイミングで，機械学習処理部を起動し，利用者プロファイル，ビデオメッセージ内容解析結果，利用者フィードバック結果を用いることで，放送目的で転送されたビデオメッセージの同報配信範囲を決定する，ことを特徴とするビデオメッセージによるローカルコミュニティ用メディア装置．
【請求項２】
請求項１に加え，利用者側端末装置の表示装置ならびにビデオ撮影装置以外の部分を着ぐるみで覆い，利用者側端末装置を，擬人的媒体として機能させることを特徴とする装置．
【請求項３】
請求項１に加え，利用者側端末装置は音声案内を行い，利用者はその音声案内に対して画面の任意の箇所の単純なタッチ操作を行うだけで，ビデオメッセージの受信や，ビデオメッセージの送信，再生されたビデオメッセージに対する返信といった，ビデオメッセージの送受信に関する基本的な操作を全て行えることを特徴とする装置． 
【請求項４】
請求項１に加え，利用者側端末装置においてビデオメッセージの送信を行う際，利用者がビデオメッセージの撮影を行った後，事前に送信者を設定したコミュニケーションか，事前に送信者を設定しない放送目的でのコミュニケーションかを利用者側端末装置に伝えることで，利用者は目的に応じてコミュニケーションの方法を選択できることを特徴とする装置．
【請求項５】
サーバ装置は，放送目的で送信されたビデオメッセージが利用者から配信されたタイミングで機械学習処理を行い，ビデオメッセージの内容や利用者のプロファイル，利用者から得られた過去のフィードバックといったデータに基づいてビデオメッセージの同報配信先を自動的に決定することで，送信者は送信先を指定せず，受信者は，第三者のビデオメッセージを自動的に受信することを特徴とする装置．
【請求項６】
利用者側端末装置において放送目的で送信されたビデオメッセージを再生する前や再生している途中に，そのビデオメッセージ送信者の住所や氏名，職業，人間関係のといった詳細な個人情報や，利用者側端末装置で表示できることを特徴とする装置．
【請求項７】
利用者側端末装置において放送目的で送信されたビデオメッセージが再生された後，そのビデオメッセージが利用者にとって有益な情報であったかそうでなかったかのフィードバックをサーバ装置に送信できることを特徴とする装置． 
【請求項８】
放送目的でのビデオメッセージの送信範囲を自動決定する際に，利用者から得たフィードバックを機械学習処理に利用できることを特徴とする装置．
【請求項９】
全利用者の操作履歴，ビデオメッセージの送受信履歴，ビデオメッセージデータ，ビデオメッセージに対するフィードバック結果をサーバ装置で全て記録し管理できることを特徴とする装置．
【請求項１０】
放送目的で送信されたビデオメッセージ送信者や，普段のコミュニケーション仲間などの利用者をアドレス帳に登録でき，ビデオメッセージ送信時アドレス帳を利用できることを特徴とする装置．
【請求項１１】
サーバ装置内のフィルタリング処理により，不適切な内容のビデオメッセージを自動検出し送受信を遮断できることを特徴とする装置．
【発明の詳細な説明】
【技術分野】
【０００１】
本発明は，ローカルコミュニティ用のメディアを構築するため，短時間のビデオメッセージの送信，受信を行うための機能と，ビデオメッセージの内容や利用者のプロファイル情報からビデオメッセージの同報配信範囲を自動決定する機能により，1対1，1対多，多対多のコミュニケーション機会を提供する仕組み，に関する．
【背景技術】
【０００２】
汎用計算機やタブレット端末，携帯電話や一般家電等（以下，電子機器）を用いた電子メールによるコミュニケーションは，一般に広く普及している．また，近年，スマートフォンと呼ばれる高機能携帯電話が普及し，Line（非特許文献1）のような，文字で気軽なコミュニケーションを行うためのメッセンジャーシステムが無償で利用できるようになった．同様に，高機能携帯電話により，Skype（非特許文献2）やFaceTime（非特許文献3）のような，映像と音声によるコミュニケーションを実現するビデオ通話システムも無償で利用できる．また，1対多，多対多のコミュニケーションを発展させる仕組みとして，Open Meeting（非特許文献4）やBigBlueButton（非特許文献5）などのミーティングサービスがある．これらシステムにより，場所に依存しない，1対1，1対多，多対多のコミュニケーションを行うことができる．
【０００３】
ただし，携帯電話の電子メール機能やメッセンジャーシステムの機能は，時間を共有する必要のない非同期型対話を実現することができるが，文字情報主体で，伝達される情報量は限られる．
【０００４】
一方で，高機能携帯電話のSkypeなどのビデオ通話機能，ミーティングサービスは，同期型対話を支援する仕組みであるため，音声やビデオ映像のような情報量の多い通信対話を実現できるが，基本的に発信側と着信側が時間を共有する必要がある．
【０００５】
電子メール，メッセンジャーシステム，ビデオ通話システム，ミーティングサービスいずれの場合も，多数とコミュニケーションを行う場合，事前に送信者を設定しなければならず，放送目的のコミュニケーションは不可能である．
【０００６】
音声やビデオのような情報量の多い通信対話として，かつ，事前に送信者を指定せず，非同期型対話を実現する仕組みとして，Ustream（非特許文献6）などの動画共有サービスがある．Ustreamなどの動画配信機能は，個人規模でTV放送のような放送目的での動画配信を安価で実現できる．
【０００７】
ただし，動画共有サービスの場合，閲覧者は求める動画を自分の手で探さなければならない．
【０００８】
いずれの場合も，端末操作手順は複雑であるため，端末操作に不慣れな利用者，特に高齢者にとっては大きな障壁になっている（非特許文献7）．
【０００９】
容易な手続きで非同期型対話を行う仕組みとして，伝言ダイヤル（非特許文献8）がある．
【００１０】
ただし，伝言ダイヤルは，通信伝達される情報は音声メッセージに限られ，また，送信者を事前に指定しなければならない．
【先行技術文献】
【非特許文献】
【００１１】
【非特許文献１】Line, [online], [平成27年7月17日検索]，インターネット＜URL:http://line.me/ja/＞
【非特許文献２】Micro Soft Skype, [online], [平成27年7月17日検索]，インターネット＜http://www.skype.com/ja/＞
【非特許文献３】FaceTime, [online], [平成27年7月17日検索]，インターネット＜https://www.apple.com/jp/ios/facetime/＞
【非特許文献４】Open Meeting, [online], [平成27年7月17日検索]，インターネット＜http://openmeetings.apache.org/  ＞
【非特許文献５】BigBlueButton, [online], [平成27年7月17日検索]，インターネット＜http://bigbluebutton.org/  ＞
【非特許文献６】Ustream, [online], [平成27年7月17日検索]，インターネット＜http:/www.ustream.tv/  ＞
【非特許文献７】シニア世代における携帯電話の利用度調査 ，「モバイルマーケティングが通用しない？インターネットを使わないシニア層」，株式会社ジー・エフ，2009年
【非特許文献８】伝言ダイヤル, [online], [平成27年7月17日検索]，インターネット＜https://506506.ntt.com/service/dengon/  ＞
【非特許文献９】文献：桑原 教彰, 米澤 朋子, 田村 俊世, 内海 章, 安部 伸治,「記憶障害や認知症を有する方を意欲創出,注意誘導で支援する行動支援メディアの研究」, 科学研究費助成事業  課題番号21300043  研究実績報告書 (2011)
【発明の概要】
【発明が解決しようとする課題】
【００１２】
独居高齢者の地域コミュニティへの参加支援や老々介護の機会創出など，地域内での自助，共助，公助を支援し自立した地域コミュニティを構築するためには，地域のあらゆる構成員を含めて，見ず知らずの人同士の関係構築を支援できる，顔の見える安心安全で手軽なコミュニケーションの仕組みが必要である．
【００１３】
以上に述べた，電子メール，伝言ダイヤル，メッセンジャーシステム，ビデオ通話システム，ミーティングサービスいずれの場合も，1対多，多対多のコミュニケーションを行う場合，送信相手を事前に設定しなければならず，放送目的でのメディアとしてのコミュニケーションには対応していない．
【００１４】
動画共有サービスの場合，事前に送信相手を設定する必要はないため放送目的でのメディアとして利用できるが，送信者は，録画のために比較的長時間拘束されること，事前に撮影の準備が必要であり，かつ，閲覧者は，求める動画を自分の手で探さなければならないため，手軽にコミュニケーションできない．
【００１５】
従来のコミュニケーションの中で，文字情報に基づくコミュニケーションシステムの場合，文字入力操作や，また，文字を閲覧するための電子機器画面の操作が必要とされるため，子供や高齢者，障がい者といった，電子機器の操作に不慣れな者の利用は容易ではない．同様に，音声や映像を用いたコミュニケーションシステムであっても，電子機器の操作や通信接続の設定が必要であるため，電子機器の操作に不慣れな者の利用は容易ではない．地域のあらゆる構成員を含めたコミュニケーションメディアを構成するためには，電子機器の操作に不慣れな者であってもシステムを問題なく利用できなければならない．
【００１６】
地域コミュニティへの参加を促しコミュニケーションの機会を増やすためには，非同期型通信対話で，単純で短いメッセージのやり取りを行うことができ，対話相手の顔や情報を確認できるようにするなど，対話に対する抵抗を低減できなければならない．
【課題を解決するための手段】
【００１７】
本発明は，高機能携帯電話のビデオ撮影録画装置，表示装置，通信機能，着ぐるみにより利用者側端末装置を用意し，また，汎用的なオペレーティングシステムと電子機器で構成されたサーバ装置を用意し，利用者側端末装置，サーバ装置，インターネット通信網により，短時間のビデオメッセージを用いた情報量の多い非同期型通信対話を可能にしたものである．
【００１８】
本発明は，高齢者側端末装置の表示装置ならびにビデオ撮影装置以外の部分を着ぐるみで覆い，高齢者側端末装置を，擬人的媒体（発明の効果参照）として機能させるものである．
【００１９】
本発明は，音声ガイダンスと画面の任意の箇所の単純なタッチ操作により，ビデオメッセージの受信や，ビデオメッセージ送信，ビデオメッセージに対する返信を可能にしたものである．
【００２０】
本発明は，事前に送信者を設定したコミュニケーションと，事前に送信者を設定しない放送目的でのコミュニケーションを可能にしたものである．
【００２１】
本発明は，放送目的のビデオメッセージを同報配信する場合，機械学習処理により，ビデオメッセージの内容や利用者のプロファイルに基づいてビデオメッセージの同報配信先を自動決定することができ，送信者は送信先を指定せず，受信者は，第三者のビデオメッセージを自動的に受信することを可能にしたものである．
【００２２】
本発明は，放送目的で送信されたビデオメッセージの再生前や再生中に，ビデオメッセージ送信者の詳細情報を表示可能にしたものである．
【００２３】
本発明は，放送目的で送信されたビデオメッセージの再生後，そのビデオメッセージが自分にとって必要な情報であったかそうでなかったかのフィードバックを送信可能にしたものである．
【００２４】
本発明は，放送目的でのビデオメッセージの送信範囲を自動決定する際に，利用者から得たフィードバックを機械学習処理に利用可能にしたものである．
【００２５】
本発明は，全利用者の操作履歴，ビデオメッセージの送受信履歴，ビデオメッセージデータ，ビデオメッセージに対するフィードバック結果(以下，これらを総称してログデータと述べる)をサーバ装置で全て記録し管理できるようにしたものである．
【００２６】
本発明は，放送目的で送信されたビデオメッセージ送信者や，普段のコミュニケーション仲間などの利用者をアドレス帳に登録でき，ビデオメッセージ送信時アドレス帳を利用できるようにしたものである．
【００２７】
本発明は，サーバ装置内のフィルタリング処理により，不適切な内容のビデオメッセージを自動検出し送受信を遮断できるようにしたものである．
【発明の効果】
【００２８】
非同期型通信対話で短時間のビデオメッセージをやり取りするため，電子メール，伝言ダイヤル，メッセンジャーシステムと同様の手軽なコミュニケーションを，音声やビデオ映像のような情報量の多い通信対話で可能にする，という利点がある．
【００２９】
情報量の多い非同期型通信対話に基づくため，情報発信に対する抵抗を低減できるため，コミュニケーションの機会を増やすことに繋げられる，という利点がある．
【００３０】
情報量の多い非同期型通信対話に基づくため，放送目的での同報配信を行う場合であってもコミュニケーションへの抵抗を低減できるため，他者との関係構築を従来装置よりも支援でき，特に見ず知らずの人同士であっても安心してコミュニケーションできる，という利点がある．
【００３１】
音声ガイダンスと単純なタッチ操作によりビデオメッセージを送受信できるため，子供や高齢者，障がい者など電子機器の操作に不慣れな利用者も操作できる，という利点がある．
【００３２】
ぬいぐるみやヒューマノイドロボットのような，本当の心はもっていなくても，心を持っているかのような存在を擬人的媒体と呼ぶ．（非特許文献9）によれば，このような擬人的媒体は非言語コミュニケーションを感知する右脳を活性化し，その結果として言語野のある左脳を活性化することで，高齢者の対話意欲を喚起できることがわかっている．本発明は，擬人的媒体を用いるため，認知症などが原因で対話意欲が減退した高齢者の対話を円滑にさせることができる，という利点がある．
【００３３】
放送目的でのメディアとしてビデオメッセージを同報配信する場合，利用者プロファイルやビデオメッセージの内容から送信先を自動決定するため，送信者は送信先を事前に指定する必要が無く，また，ビデオメッセージに興味を持つ可能性の高い利用者のみにビデオメッセージを届けることができる，という利点がある．
【００３４】
放送目的で同報配信されたビデオメッセージを受信する場合，自分が必要とする可能性の高い第三者のビデオメッセージを自動的に受信でき，また，必要に応じて，受信したビデオメッセージに返信できる，という利点がある．
【００３５】
放送目的で同報配信されたビデオメッセージに対してフィードバックを行うことができ，同報配信対象を決定する際の機械学習処理でフィードバック結果を利用するため，長く利用すればするほど，より自分が必要とするビデオメッセージのみ受信することができるようになる，という利点がある．
【００３６】
放送目的でビデオメッセージを同報配信でき，また，これをきっかけとして個々のコミュニケーションが可能となるため，見ず知らずの人同士の関係構築を支援できる，という利点がある．
【００３７】
利用者のログデータをサーバ装置に保存することができるため，独居高齢者の見守り装置としても利用できる，という利点がある．
【００３８】
伝言ダイヤルのように，災害時の安否確認や意見収集などの目的として利用できる，という利点がある．
【００３９】
自分が必要とする可能性の高いビデオメッセージのみを受信できるため，無駄の少ないコマーシャルメディアとして活用できるようになる，という利点がある．
【００４０】
ビデオメッセージの送受信を地域内に限定する場合，地域でイベントの開催案内，日常生活での要望，仲間の募集などがビデオメッセージで送信される場合が想定されるため，地域コミュニティ内での自助，共助，公助や，地域内で孤立する独居高齢者などに対して地域社会活動参画への機会を提供できる，という利点がある． 
【図面の簡単な説明】
【００４１】
【図１】図1はビデオメッセージによるローカルコミュニティ用メディア装置構成を図式化したものである．
【発明を実施するための形態】
【００４２】
以下，本発明の実施の形態を図1に基づいて説明する．
【００４３】
利用者側端末装置は，
(1)ビデオ撮影装置，(2)ビデオメッセージデータ生成部，(3)ビデオメッセージ記録部， (4)記憶装置，(5)ビデオメッセージ送信手続き部，(6)表示装置，(7)利用者情報管理部， (8)ビデオメッセージ返信部，(9)ビデオメッセージ配信依頼部，(10)アラート受信部， (11)ビデオメッセージ受信部，(12)ビデオメッセージ記録部，(13)ビデオメッセージデータ一式取得部， (14)ビデオメッセージ再生部，(15)ビデオメッセージ情報管理部，(16)フィードバック送信部， (17)ビデオメッセージ記録管理部，(18)着ぐるみ（擬人的媒体），によって構成する．
サーバ装置は，
(19)記憶装置，(20)利用者認証部，（21)機械学習処理部，(22)データ記録部，(23)利用者情報入出力部， (24)依頼受付・データ取得部，(25)データ送信部，(26)データ同期部， によって構成する．
【００４４】
利用者は，自分自身のプロファイル情報や，利用者端末装置から取得した位置情報，受信メッセージのフィルタ情報などを(7)利用者情報管理部により設定し，(4)記憶装置に保存する．
【００４５】
(4)記憶装置に保存された利用者情報は，認証情報とともに(27)インターネットを介してサーバ装置に送信される．
【００４６】
サーバ装置では，利用者側端末から送付された認証情報を(20)利用者認証部で参照し，サーバ装置で管理されている利用者の一人であることを認証すると，(23)利用者情報入出力部により(19)記憶装置に保存する．
【００４７】
利用者が，利用者側端末装置を使ってビデオメッセージを撮影する際，(1)ビデオ撮影装置を起動し，(1)ビデオ撮影装置から取得したビデオ映像情報を(6)表示装置に提示しながら，(2)ビデオメッセージデータ生成部 により圧縮処理し，(3)ビデオメッセージ記録部でビデオメッセージが(4)記憶装置に録画され，その後，(5)ビデオメッセージ送信手続き部により，個別メッセージか同報メッセージかを選択し，アドレス帳から送信先の設定を行うことで，(4)記憶装置からビデオメッセージを取得し，インターネットを介してサーバ装置に送信される．
【００４８】
サーバ装置は，認証情報とビデオメッセージデータを受け取った際，利用者側端末から送付された認証情報を(20)利用者認証部で参照し，サーバ装置で管理されている利用者の一人であることを認証すると，ビデオメッセージを(22)データ受信・記録部により取得し，(19)記憶装置に保存する．
【００４９】
サーバ装置は，(19)記憶装置に利用者宛の新着のメッセージが記録されていることを確認すると，(24)依頼受付・データ取得部によりデータを取得し，(25)データ送信部から，インターネットを介して利用者側端末装置の'(10)アラート受信部にメッセージ受信状況の情報を伝達する．
【００５０】
利用者は，(9)ビデオメッセージ配信依頼部により，ビデオメッセージの配信をサーバ装置に依頼すると，依頼情報は認証情報と共にインターネットを介してサーバ装置に配信される．
【００５１】
サーバ装置では，利用者側端末から送付された認証情報を(20)利用者認証部で参照し，サーバ装置で管理されている利用者の一人であることを認証すると，(24)依頼受付・データ取得部によりビデオメッセージ配信依頼を受け取り，(19)記憶装置からビデオメッセージデータを取得し，(25)データ送信部により，ビデオメッセージデータが利用者側端末装置に転送される．
【００５２】
ビデオメッセージデータの着信を検知すると，(11)ビデオメッセージ受信部がデータ一式を受け取り，(12)ビデオメッセージ記録部により，着信したビデオメッセージを(4)記録媒体に自動的に保存し続ける．
【００５３】
利用者は，受信したビデオメッセージの再生を行う場合，個別メッセージか放送目的のメッセージかを選択すると，十分なバッファリングを行ったあとで，(13)ビデオメッセージデータ一式取得部により，未再生のビデオメッセージデータを取得し，(14)ビデオメッセージ再生部によりビデオメッセージを(6)表示装置で連続的に再生する．
【００５４】
利用者は，利用者側端末装置を使って(14)ビデオメッセージ再生部によりビデオメッセージを再生している際，(15)受信メッセージ情報提示部により，ビデオメッセージの作成者情報などの詳細な情報を(6)表示装置により閲覧できる．
【００５５】
利用者は，利用者側端末装置を使って(14)ビデオメッセージ再生部によりビデオメッセージの再生を終了した際，必要に応じて，(16)フィードバック送信部を起動し，(16)フィードバック送信部により，ビデオメッセージに関する評価を(27)インターネットを介してサーバ装置に送信する．
【００５６】
利用者は，(17)ビデオメッセージ記録管理部により，送受信したビデオメッセージのデータを(6)表示装置から一覧で確認し，必要に応じて，削除や再生を行い，その操作ログはインターネットを介してサーバ装置に転送され，(26)データ同期部により(19)記憶装置内の利用者データと同期を取る．
【００５７】
利用者は，(7)利用者情報管理部により，必要に応じて連絡先一覧を追加・編集・削除を行い，その操作ログはインターネットを介してサーバ装置に転送され，(26)データ同期部により(19)記憶装置内の利用者データと同期を取る．
【００５８】
サーバ装置は，認証情報とフィードバック結果を受け取った際，利用者側端末から送付された認証情報を(20)利用者認証部で参照し，サーバ装置で管理されている利用者の一人であることを認証すると，フィードバック結果を(22)データ受信・記録部により取得し，(19)記憶装置に保存する．
【００５９】
サーバ装置では，放送目的で転送されたビデオメッセージを(19)記憶装置に保存したタイミングで，(21)機械学習処理部を起動し，利用者プロファイル，ビデオメッセージ内容解析結果，利用者フィードバック結果を用いることで，放送目的で転送されたビデオメッセージの同報配信範囲を決定する．   
【００６０】
利用者側端末装置は，(19)着ぐるみ（擬人的媒体）によって，(6)表示装置ならびに(1)ビデオ撮影装置以外の機械部分を覆い隠すことによって，「擬人的媒体の説明」で述べた擬人的媒体として機能させる．
【産業上の利用可能性】
【００６１】
本発明によって，子供や高齢者，障がい者などの情報弱者であってもシステムを利用できるため，情報弱者を含めたコミュニケーションメディアサービスを構成できる．
【００６２】
本発明によって，同報配信機能を用いた場合，ビデオメッセージ発信者の詳細情報や，顔の見えるコミュニケーションを提供できるため，見ず知らずの人同士の関係構築を支援する安心安全なコミュニケーションサービスを構成できる． 
【００６３】
本発明によって，ビデオメッセージ情報という情報量の多い情報の非同期型であり，かつ1対1，1対多，多対多での対話を実現することができる．よって，安価で且つ情報量豊富な非同期型及び同報送信型対話を実現するためのサービスを構成できる．
【００６４】
本発明によって，情報量の多い非同期型通信対話に基づくため，情報発信に対する抵抗を低減できるため，地域との関わりが少ない独居高齢者などのコミュニケーションの機会を増やすことに着眼したサービスを構成できる．
【００６５】
本発明によって，同報配信機能を用いた場合，情報を必要とする可能性の高い人に情報を配信できるため，無駄の少ないコマーシャルメディアとしてサービスを構成できる．
【００６６】
本発明によって，地域住民同士でビデオメッセージの送受信を行う場合，イベントの開催案内，日常生活での要望，仲間の募集などが容易な手続きで可能となるため，地域コミュニティ内での自助，共助，公助を支援するサービスを構成できる．
【００６７】
同報配信機能を用いた場合，情報を必要とする可能性の高い人に情報を配信できるため，無駄の少ないコマーシャルメディアとしてサービスを構成できる．
【００６８】
上記「擬人的媒体の説明」で述べた擬人的媒体の機能は，着ぐるみの販売で実現することができるため，安価で且つ手軽に本サービスを提供可能である．
【符号の説明】
【００６９】
(1) ビデオ撮影装置，
(2) ビデオメッセージデータ生成部，
(3) ビデオメッセージ記録部，
(4) 記憶装置，
(5) ビデオメッセージ送信手続き部，
(6) 表示装置，
(7) 利用者情報管理部，
(8) ビデオメッセージ返信部，
(9) ビデオメッセージ配信依頼部，
(10) アラート受信部，
(11) ビデオメッセージ受信部，
(12) ビデオメッセージ記録部，
(13) ビデオメッセージデータ一式取得部，
(14) ビデオメッセージ再生部，
(15) ビデオメッセージ情報管理部，
(16) フィードバック送信部，
(17) ビデオメッセージ記録管理部，
(18) 着ぐるみ（擬人的媒体），
(19) 記憶装置，
(20) 利用者認証部，
(21) 機械学習処理部，
(22) データ受信・記録部，
(23) 利用者情報入出力部，
(24) 依頼受付・データ取得部，
(25) データ送信部，
(26) データ同期部，
(27) インターネット通信網，
【図１】
2017034445.tif 000003